(57)【要約】【課題】使用者に不快感を与えること無く掃除作業ができる電気掃除機を提供する。【解決手段】吸引風を発生する電動送風機２と、前記電動送風機２を収納する電動送風機室２０と、前記電動送風機室２０を内蔵した掃除機本体１と、塵埃を吸引する吸込具１０と、前記電動送風機室２０とは分離された場所に配されると共に、帯電微粒子水を発生させる静電霧化装置３３を収納する静電霧化装置収納室２１と、前記電動送風機室２０と前記静電霧化装置収納室２１とを連通すると共に、前記電動送風機２の排気風の一部を前記静電霧化装置収納室２１内に流入させる連通通路５０と、前記吸込具１０の着脱を検知し、その検知情報に基づいて前記静電霧化装置３３への通電を制御する制御部３０を備えたもので、静電霧化装置３３でのオゾン濃度の上昇を抑制することができるため、使用者に不快感を与えることを防止することができる。【選択図】図４
2012148009.tif 000002
【特許請求の範囲】
【請求項１】
吸引風を発生する電動送風機と、前記電動送風機を収納する電動送風機室と、前記電動送風機室を内蔵した掃除機本体と、塵埃を吸引する吸込具と、前記電動送風機室とは分離された場所に配されると共に、帯電微粒子水を発生させる静電霧化装置を収納する静電霧化装置収納室と、前記電動送風機室と前記静電霧化装置収納室とを連通すると共に、前記電動送風機の排気風の一部を前記静電霧化装置収納室内に流入させる連通通路と、前記吸込具の着脱を検知し、その検知情報に基づいて前記静電霧化装置への通電を制御する制御部を備えることを特徴とした電気掃除機。
【請求項２】
連通通路に流れる風量を検知する風量検知手段を備え、制御部は、前記風量検知手段で検知した風量に応じて静電霧化装置への通電を間欠制御することを特徴とした請求項１に記載の電気掃除機。
【請求項３】
静電霧化装置収納室内に、外気を吸気し帯電微粒子水を空気中へ排出させる送風機を備えることを特徴とした請求項１又は２に記載の電気掃除機。
【請求項４】
制御部が吸込具の着脱を検知し、その検知情報に基づいて送風機の出力を変化させることを特徴とした請求項３に記載の電気掃除機。
【請求項５】
風量検知手段により検知した風量に応じて、送風機の出力を変化させることを特徴とした請求項３又は４に記載の電気掃除機。
【請求項６】
連通通路にフィルターを設けることを特徴とした請求項１〜５のいずれか１項に記載の電気掃除機。
【発明の詳細な説明】
【技術分野】
【０００１】
本発明は、電気掃除機に関するものである。
【背景技術】
【０００２】
従来の電気掃除機においては、電動送風機の排気経路にイオン発生器を配置させる構成が提案されている（例えば、特許文献１参照）。図７は、上記特許文献１に記載された従来の電気掃除機における掃除機本体の断面図である。図７において、電動送風機１０２を内蔵する電動送風機室１０３と、電動送風機室１０３の前方に配置されており、塵埃を捕集する集塵袋１０４を内蔵する集塵室１０５とを有する電気掃除機本体１０１において、電気掃除機本体１０１の後方の上部には、イオン発生器１３５が配置されており、イオン発生器１３５で発生させた大量のイオンを、電動送風機１０２の排気の一部を利用して大気に放出させて、浮遊する塵埃を広範囲に帯電させた後、このイオンで帯電された塵埃を集塵袋１０４で捕集させる構成が提案されている。
【０００３】
また、近年は、被付着物に付着し当該被付着物の脱臭及び除菌を行う脱臭及び除菌作用を有するナノメータサイズのマイナスイオンミスト（帯電微粒子水）を生成させる静電霧化装置が知られている（例えば、特許文献２参照）。図８は、上記特許文献２に記載された従来の静電霧化装置の断面図である。
【０００４】
すなわち、図８に示すように、従来の静電霧化装置２０４は、放電極２０１と、放電極２０１に対向して位置する対向電極２０２と、放電極２０１に空気中の水分を結露又は氷結させて水を供給する水供給手段２０３とを備え、水供給手段２０３は、冷却部２０５と放熱部２０６とを有するペルチェユニット２０７の冷却部２０５に、放電極２０１を設けて構成されており、放電極２０１と対向電極２０２との間に高電圧を印加することで放電極２０１に保持された水を霧化させ、ナノメータサイズのマイナスイオンミスト（帯電微粒子水）を生成する構成が提案されている。
【０００５】
上述の特許文献１に記載された従来の電気掃除機においては、イオン発生器１３５によって発生されたイオンを電動送風機１０２の排気の一部を利用して部屋中に放出させ、室内で対流させることにより、空気中に浮遊している塵埃を帯電させ捕集する構成であるため、イオンにより帯電した空気中の塵埃が被清掃面に落下するまでに時間が必要であった。また、上述の特許文献１に記載の従来の電気掃除機においては、空中に浮遊しているウィルス、雑菌、及びカビ菌などを十分に脱臭及び除菌することができず、十分な空気清浄効果が得られない場合があった。
【０００６】
そのため、空気中の塵埃を被清掃面に早く落下させるとともに、空中に浮遊しているウィルス、雑菌、及びカビ菌などを十分に脱臭及び除菌し、空気清浄効果を向上させるべく、上述の特許文献１に記載の従来の電気掃除機に、上述の特許文献２に記載の従来の静電霧化装置を組み合わせた構成を有する電気掃除機が提案されている（例えば、特許文献３参照）。
【先行技術文献】
【特許文献】
【０００７】
【特許文献１】特開２００８−２１２３８９号公報
【特許文献２】特開２００６−６８７１１号公報
【特許文献３】特開２００９−２５４７８６号公報
【発明の概要】
【発明が解決しようとする課題】
【０００８】
しかしながら、単に、上述の特許文献１に記載の従来の電気掃除機に、上述の特許文献２に記載の従来の静電霧化装置を組み合わせただけでは、使用者に不快感を与えることを十分に防止するという観点からは、未だ改善の余地があることを本発明者らは見出した。
【０００９】
すなわち、上述の特許文献１に記載の電気掃除機においては、電動送風機１０２の排気の一部によってイオンを空気中に放出させているため、例えば、吸込口（図示せず）が密閉されることによって、排気風量が低下すると、静電霧化装置に供給される排気風の風量も少なくなる。特に、電気掃除機から吸込具（図示せず）を取り外し、ホース（図示せず）の先端等を吸込口として掃除をしている際には、より密閉されやすい状況となる。
【００１０】
静電霧化装置に供給される排気風の風量が少なくなると、静電霧化装置の高電圧部で発生したオゾンの濃度が高くなり、静電霧化装置の電極部周辺のオゾン濃度が極小的に高くなり、樹脂の劣化を加速させるという課題があった。また、オゾン濃度が高い状態のまま空気中へ放出されると、使用者の呼吸器系統、眼、粘膜等へ刺激を与える場合があり、使用者に不快感を与えるという課題があった。
【００１１】
本発明は、上記従来技術が有する課題を解決するもので、使用者に不快感を与えることを十分に防止し、快適に掃除作業ができる電気掃除機を提供することを目的とする。
【課題を解決するための手段】
【００１２】
前記従来の課題を解決するために、本発明の電気掃除機は、吸引風を発生する電動送風機と、前記電動送風機を収納する電動送風機室と、前記電動送風機室を内蔵した掃除機本体と、塵埃を吸引する吸込具と、前記電動送風機室とは分離された場所に配されると共に、帯電微粒子水を発生させる静電霧化装置を収納する静電霧化装置収納室と、前記電動送風機室と前記静電霧化装置収納室とを連通すると共に、前記電動送風機の排気風の一部を前記静電霧化装置収納室内に流入させる連通通路と、前記吸込具の着脱を検知し、その検知情報に基づいて前記静電霧化装置への通電を制御する制御部を備えたもので、静電霧化装置でのオゾン濃度の上昇を抑制することができるため、使用者に不快感を与えることを防止することができる。
【発明の効果】
【００１３】
本発明の電気掃除機は、使用者に不快感を与えることを防止し、快適に掃除作業を行うことができる。
【図面の簡単な説明】
【００１４】
【図１】本発明の実施の形態１における電気掃除機の斜視外観図
【図２】同電気掃除機の掃除機本体の断面図
【図３】同電気掃除機の静電霧化装置の外観図
【図４】同電気掃除機の制御ブロック図
【図５】本発明の実施の形態２における電気掃除機の掃除機本体の断面図
【図６】同電気掃除機の制御ブロック図
【図７】従来の電気掃除機の掃除機本体の断面図
【図８】従来の静電霧化装置の断面図
【発明を実施するための形態】
【００１５】
第１の発明は、吸引風を発生する電動送風機と、前記電動送風機を収納する電動送風機室と、前記電動送風機室を内蔵した掃除機本体と、塵埃を吸引する吸込具と、前記電動送風機室とは分離された場所に配されると共に、帯電微粒子水を発生させる静電霧化装置を
収納する静電霧化装置収納室と、前記電動送風機室と前記静電霧化装置収納室とを連通すると共に、前記電動送風機の排気風の一部を前記静電霧化装置収納室内に流入させる連通通路と、前記吸込具の着脱を検知し、その検知情報に基づいて前記静電霧化装置への通電を制御する制御部を備えたもので、静電霧化装置でのオゾン濃度の上昇を抑制することができるため、使用者に不快感を与えることを防止することができる。
【００１６】
第２の発明は、特に、第１の発明の連通通路に流れる風量を検知する風量検知手段を備え、制御部は、前記風量検知手段で検知した風量に応じて静電霧化装置への通電を間欠制御するもので、静電霧化装置収納室へ流入する排気風の風量を正確に検出することができるため、オゾン濃度の上昇をより確実に抑制することができるとともに、帯電微粒子水を安定して発生させることができる。
【００１７】
第３の発明は、特に、第１又は第２の発明の静電霧化装置収納室内に、外気を吸気し帯電微粒子水を空気中へ排出させる送風機を備えたもので、電動送風機の排気風に加えて送風機による外気風でもオゾンを拡散させることができるため、オゾン濃度の上昇をより確実に抑制することができる。
【００１８】
第４の発明は、特に、第３の発明の制御部が吸込具の着脱を検知し、その検知情報に基づいて送風機の出力を変化させるもので、例えば、制御部が、吸込具が電気掃除機の延長管から外されたことを検知した時に、送風機の出力を上げるようにすれば、延長管から吸引される風量が減って電動送風機の排気風が減少しても、送風機が吸気する外気風を増やして、オゾンを拡散させることができるため、オゾン濃度の上昇を確実に抑制することができる。
【００１９】
第５の発明は、特に、第３又は第４の発明の風量検知手段により検知した風量に応じて、送風機の出力を変化させるもので、オゾン濃度の上昇をより確実に抑制することができるとともに、無駄な電力の消費を抑制することができる。
【００２０】
第６の発明は、特に、第１〜５のいずれか一つの発明の連通通路にフィルターを設けるもので、静電霧化装置収納室内に塵埃が進入しない為、確実に静電霧化装置の制御が行え、帯電微粒子水を安定して発生させることができる。
【００２１】
以下、本発明の実施の形態について、図面を参照しながら説明する。なお、この実施の形態によって本発明が限定されるものではない。
【００２２】
（実施の形態１）
本発明の実施の形態１における電気掃除機について、図１〜図４を用いて説明する。図１は、本実施の形態における電気掃除機の斜視外観図、図２は、同電気掃除機の掃除機本体の断面図、図３は、同電気掃除機の静電霧化装置の外観図、図４は、同電気掃除機の制御ブロック図である。
【００２３】
図１、図２において、本実施の形態における電気掃除機は、主として、掃除機本体１と、被清掃面の塵埃を吸引する吸込具１０と、一端が掃除機本体１に着脱自在に接続されるホース８と、一端がホース８に接続され、他端が吸込具１０に接続される伸縮自在或いは継ぎ自在の延長管９とから構成されている。
【００２４】
吸込具１０は、被清掃面の塵埃を掻き上げる回転ブラシ１１と、ベルト１２を介して回転ブラシ１１を回転駆動させる電動機１３とを内蔵している。ホース８の延長管９側の端部には、手元操作部６が設けられており、この手元操作部６からの信号に基づき、後述する制御部３０が、電動送風機２の各種の動作モード（強・中・弱・切などの吸込み力）を
制御している。
【００２５】
また、ホース８の掃除機本体１側の端部には、吸込具１０から吸い込まれた塵埃の量を検出する塵埃検出部７が設けられている。塵埃検出部７は、発光素子７ａと受光素子７ｂとから構成されており、発光素子７ａと受光素子７ｂとは対向して配置されている。塵埃検出部７は、発光素子７ａと受光素子７ｂとの間を塵埃が通過した際に、受光素子７ｂによる受光が塵埃によって遮られることで生じるパルス波形を検出しており、このパルス波形によって塵埃の量を検出している。
【００２６】
掃除機本体１は、主として、吸引風を発生させる電動送風機２を内蔵する電動送風機室２０と、電動送風機２の上流側に着脱自在に配置されており、吸込具１０から吸い込まれた塵埃を捕集するエレクトリック加工された集塵袋３とから構成されている。集塵袋３は、ポリプロプレン等の熱可塑性繊維で形成されており、吸引風等で摩擦されることで帯電する。
【００２７】
掃除機本体１には、吸込具１０の着脱を検知する後述の着脱検知部３８を有する制御部３０が配置されている。また、掃除機本体１の後方下部の両側には、走行用の車輪４が回転自在に取付けられている。また、掃除機本体１の前方の底面には、同じく走行用のキャスター５が取付けられている。
【００２８】
図２に示すように、掃除機本体１の後方の上部、すなわち、電動送風機室２０の上方には、電動送風機室２０とは樹脂等で分離された静電霧化装置収納室２１が設けられている。この静電霧化装置収納室２１には、帯電微粒子水を発生させる静電霧化装置３３と、静電霧化装置３３を制御する静電霧化装置制御部２２が内蔵されており、静電霧化装置収納室２１の後方には、帯電微粒子水放出口３７が設けられている。
【００２９】
また、掃除機本体１の後方には、電動送風機２の排気風を排出する主排気口２９が設けられており、帯電微粒子水は、この主排気口２９から排出された排気風（図中、矢印Ｘ）によって室内に拡散されるように構成されている。
【００３０】
さらに、電動送風機室２０と静電霧化装置収納室２１とは、連通通路５０によって連通されており、この連通通路５０を通って、電動送風機２の排気風の一部（図中、矢印Ｙ）が静電霧化装置収納室２１内へと流入し、帯電微粒子水放出口３７から放出されるように構成されている。連通通路５０には、静電霧化装置収納室２１内へと流入する排気風の風量を検出する風量検知手段５５が設けられている。また、連通通路５０には静電霧化装置収納室２１内に塵埃が進入しないようフィルター５２が設けられている。
【００３１】
図３及び図４に示すように、静電霧化装置３３は、ペルチェ素子２３と、ペルチェ素子２３の冷却側に接続された針状電極２５と、ペルチェ素子２３の放熱側に接続された放熱フィン２４とから構成されている。また、針状電極２５の先端側には、アース電極２６が配置されている。針状電極２５及び放熱フィン２４は、ペルチェ素子２３と電気的には絶縁されているが、ペルチェ素子２３と温度伝達的には接続されている。ペルチェ素子２３に電圧が印加されると、ペルチェ素子２３の冷却側に接続された針状電極２５が冷却されるとともに、ペルチェ素子２３の放熱側に接続された放熱フィン２４によりペルチェ素子２３の放熱側で発生した熱が放熱される。
【００３２】
図３及び図４に示すように、静電霧化装置制御部２２は、針状電極２５とアース電極２６との間に高電圧を印加する高電圧発生部２７と、ペルチェ素子２３に電圧を印加する直流電源部２８とから構成されている。
【００３３】
図４に示すように、制御部３０は、マイクロコンピュータなどで構成されており、吸込具１０の着脱を検知する着脱検知部３８を有している。制御部３０は、使用者が操作する手元操作部６及び塵埃検出部７からの信号を取り込み、その信号をもとに、電動機駆動部３２及び電動送風機駆動部３１を位相制御するための点弧パルスを出力する制御を行う。電動機駆動部３２及び電動送風機駆動部３１は、制御部３０からの信号に基づき、それぞれ電動機１３及び電動送風機２を制御する。電動送風機駆動部３１は、双方向性サイリスタなどで構成されており、電動送風機２を位相制御し吸込み力を変化させる。
【００３４】
また、制御部３０は、静電霧化装置駆動部４０を制御することで、静電霧化装置３３を動作させる静電霧化装置制御部２２に電力を供給し、静電霧化装置３３を制御している。静電霧化装置制御部２２に電力が供給されると、高電圧発生部２７及び直流電源部２８に電力が供給され、針状電極２５、アース電極２６、及びペルチェ素子２３のそれぞれに電圧が印加される。
【００３５】
以上のように構成された本実施の形態における電気掃除機の動作、作用を、以下に説明する。例えば、使用者が手元操作部６を操作して、電動送風機２の動作モードとして、吸引力の強い「強」を選択した場合、制御部３０は、手元操作部６からの信号に基づき、電動送風機駆動部３１及び電動機駆動部３２に予め定められた信号を送り、電動送風機２及び電動機１３を駆動させる。これにより、被清掃面上の塵埃が、回転ブラシ１１によって掻き揚げられ、電動送風機２で発生された吸引風によって吸込具１０から吸引される。吸引された塵埃は、延長管９及びホース８を介して、掃除機本体１内の集塵袋３で捕集される。図２中、矢印Ｘで示すように、電動送風機２からの排気風は、掃除機本体１の後方に設けられた主排気口２９から掃除機本体１の外部へ排気されるとともに、その一部は、図２中、矢印Ｙで示すように、連通通路５０を介して静電霧化装置収納室２１内へと流入し、帯電微粒子水放出口３７から放出される。
【００３６】
制御部３０は、電動送風機２及び電動機１３を駆動させるのと同時に、静電霧化装置駆動部４０に信号を送り、静電霧化装置制御部２２に電力を供給し、高電圧発生部２７及び直流電源部２８を動作させる。直流電源部２８は、ペルチェ素子２３に電圧を印加し、針状電極２５を冷却する。針状電極２５が冷却されると、針状電極２５の周辺の水分が結露して、針状電極２５上に水が生成される。このとき、針状電極２５とアース電極２６との間には、高電圧発生部２７によって高電圧（例えば、約６０００Ｖ）が印加されているため、針状電極２５とアース電極２６との間でコロナ放電が発生し、針状電極２５上に生成された水に高電圧が印加され、帯電微粒子水（例えば、直径５〜２０ｎｍ）が生成される。静電霧化装置３３によって生成された帯電微粒子水は、連通通路５０を介して静電霧化装置収納室２１内へと流入した電動送風機２の排気風の一部によって、帯電微粒子水放出口３７から掃除機本体１の外部へと放出される。
【００３７】
ここで、電気掃除機から吸込具１０を取り外し、ホース８もしくは延長管９の先端を吸込口として掃除をしているときのことを考える。このとき、吸込口の先端となるホース８や延長管９は、吸込具１０と異なり吸込口の径が小さく、密閉されやすくなる。吸込口が密閉されると、電動送風機２の排気風が低下し、静電霧化装置収納室２１内へ流入する排気風も低下する為、帯電微粒子水放出口３７近傍でのオゾン濃度が上昇する。
【００３８】
そこで、制御部３０の着脱検知部３８により吸込具１０の着脱を検知し、吸込具１０が取り外されているときは、静電霧化装置制御部２２への通電をＯＦＦにすることで、静電霧化装置３３を停止させたり、または、静電霧化装置制御部２２への通電を間欠制御して、静電霧化装置３３を周期的に停止させる等することで、帯電微粒子水放出口３７近傍でのオゾン濃度の増加を抑制することができる。
【００３９】
また、風量検知手段５５により静電霧化装置収納室２１内へ流入する排気風量を検知し、その検知した排気風量に応じて、静電霧化装置制御部２２への通電間欠制御の間欠周期を変化させることによって、より確実にオゾン濃度の増加を抑制することができるとともに、帯電微粒子水を安定して発生させることができる。
【００４０】
また、吸引力として標準の「中」を選択した場合及び吸引力の低い「弱」を選択した場合についても、使用者が電動送風機２の動作モードとして「強」を選択した場合と同様の制御を行うことで、各種の動作モードにおいて確実に帯電微粒子水放出口３７近傍のオゾン濃度を抑制することができる。
【００４１】
また、連通通路５０にフィルター５２を設けることで、静電霧化装置収納室２１内への塵埃の進入を防止し、確実に静電霧化装置３３の制御が行える為、帯電微粒子水を安定して発生させることができる。
【００４２】
以上のように、本実施の形態においては、吸込具１０が電気掃除機から取り外された場合においては、制御部３０が、静電霧化装置制御部２２への通電をＯＦＦないしは間欠制御し、静電霧化装置３３の動作を調節することで、帯電微粒子水放出口３７近傍のオゾン濃度を抑制することができ、使用者に不快感を与えることを防止することができる。
【００４３】
（実施の形態２）
本発明の実施の形態２における電気掃除機について、図５及び図６を加えて説明する。図５は、本実施の形態における電気掃除機の掃除機本体の断面図、図６は、同電気掃除機の制御ブロック図である。なお、上述した実施の形態１と重複する構成については、同一部品には同一符号を付与し、その説明を省略する。
【００４４】
図５、６に示すように、本実施の形態においては、静電霧化装置収納室２１内前方に、外気を吸気し帯電微粒子水を空気中へ放出し拡散させる気流を発生させる送風機３５が内蔵されている。また、静電霧化装置収納室２１の上部には吸気口３６が設けられており、送風機３５は、この吸気口３６から外気を吸気する。吸気口３６には、外気フィルター５１が着脱自在に設けられており、送風機３５が外気を吸気する際に、吸気口３６から静電霧化装置収納室２１内に空気中の塵埃が侵入することを防止している。送風機３５は制御部３０からの出力信号により動作する。
【００４５】
以上のように構成された本実施の形態における電気掃除機について、以下その動作、作用を説明する。例えば、使用者が手元操作部６を操作して、電動送風機２の動作モードとして、吸引力の強い「強」を選択した場合、制御部３０は、手元操作部６からの信号に基づき、電動送風機駆動部３１及び電動機駆動部３２に予め定められた信号を送り、電動送風機２及び電動機１３を駆動させる。これにより、被清掃面上の塵埃が、回転ブラシ１１によって掻き揚げられ、電動送風機２で発生された吸引風によって吸込具１０から吸引される。吸引された塵埃は、延長管９及びホース８を介して、掃除機本体１内の集塵袋３で捕集される。図５中、矢印Ｘで示すように、電動送風機２からの排気風（塵埃が除去された後電動送風機２を通過した吸引風）は、掃除機本体１の後方に設けられた主排気口２９から掃除機本体１の外部へ排気されるとともに、その一部は、図５中、矢印Ｙで示すように、連通通路５０を介して静電霧化装置収納室２１内へと流入し、帯電微粒子水放出口３７から放出される。
【００４６】
制御部３０は、電動送風機２及び電動機１３を駆動させるのと同時に、送風機３５を動作させる。これにより、図５中の矢印Ｚで示されるように、吸気口３６から外気が吸気され、吸気された外気は、静電霧化装置３３へと送風され、帯電微粒子水放出口３７から掃除機本体１の外部へと放出される。
【００４７】
また、制御部３０は、送風機３５を動作させるとともに、静電霧化装置駆動部４０に信号を送り、静電霧化装置制御部２２に電力を供給し、高電圧発生部２７及び直流電源部２８を動作させる。直流電源部２８は、ペルチェ素子２３に電圧を印加し、針状電極２５を冷却する。針状電極２５が冷却されると、針状電極２５の周辺の水分が結露して、針状電極２５上に水が生成される。このとき、針状電極２５とアース電極２６との間には、高電圧発生部２７によって高電圧が印加されているため、針状電極２５とアース電極２６との間でコロナ放電が発生し、針状電極２５上に生成された水に高電圧が印加され、帯電微粒子水が生成される。
【００４８】
静電霧化装置３３によって生成された帯電微粒子水は、送風機３５によって吸気された外気及び連通通路５０を介して、静電霧化装置収納室２１内へと流入した電動送風機２の排気風の一部によって、帯電微粒子水放出口３７から掃除機本体１の外部へと放出される。
【００４９】
ここで、電気掃除機から吸込具１０を取り外し、ホース８もしくは延長管９の先端を吸込口として掃除をしているときのことを考える。このとき、吸込口の先端となるホース８や延長管９は、吸込具１０と異なり吸込口の径が小さく、密閉されやすくなる。吸込口が密閉されると、電動送風機２の排気風が低下し、静電霧化装置収納室２１内へ流入する排気風も低下するが、送風機３５によって吸気された外気も静電霧化装置収納室２１内へ流入している為、帯電微粒子水放出口３７近傍でのオゾン濃度の増加を抑制することができる。
【００５０】
また、制御部３０の着脱検知部３８により、吸込具１０の着脱を検知し、吸込具１０が取り外されているときは、制御部３０から送風機３５に信号を送り送風機３５の出力を上げることで、より多くの外気を静電霧化装置収納室２１内へ流入させることができる為、より確実に帯電微粒子水放出口３７近傍でのオゾン濃度の増加を抑制することができる。
【００５１】
さらに、風量検知手段５５により、静電霧化装置収納室２１内へ流入する排気風量を検知し、その検知した排気風量に応じて、送風機３５の出力を変化させることによって、例えば、検知した排気風量が少ないときは送風機３５の出力を上げて、排気風量が多いときは、送風機３５の出力を下げる等することにより、より確実にオゾン濃度の増加を抑制することが出来るとともに、無駄な電力の消費を抑制することができる。
【００５２】
以上のように、本実施の形態においては、静電霧化装置収納室２１内へ外気を流入させる送風機３５を備えることで、吸込口が密閉され、静電霧化装置収納室２１内へ流入する排気風量が少なくなってしまった場合においても、帯電微粒子水放出口３７近傍のオゾン濃度を抑制することができ、使用者に不快感を与えることを防止することができる。
【００５３】
また、吸込具１０が取り外されたときには、送風機３５の出力を上げることにより、より確実に帯電微粒子水放出口３７近傍でのオゾン濃度の増加を抑制することができ、使用者に不快感を与えることを防止することができる。
【産業上の利用可能性】
【００５４】
本発明の電気掃除機は、掃除の際に、使用者に不快感を与えることが無いもので、帯電微粒子水を発生させる静電霧化装置を搭載した各種家庭用、業務用電気掃除機の分野・用途に好適に適用することができる。
【符号の説明】
【００５５】
１  掃除機本体
２  電動送風機
８  ホース
９  延長管
１０  吸込具
２０  電動送風機室
２１  静電霧化装置収納室
３０  制御部
３３  静電霧化装置
３５  送風機
５０  連通通路
５２  フィルター
５５  風量検知手段
【図１】
2012148009.tif 000003
【図２】
2012148009.tif 000004
【図３】
2012148009.tif 000005
【図４】
2012148009.tif 000006
【図５】
2012148009.tif 000007
【図６】
2012148009.tif 000008
【図７】
2012148009.tif 000009
【図８】
2012148009.tif 000010